(57)【要約】【課題】粉体の漏れがほとんどなくて開封も簡単であり、しかも、取り出される紛体中に漏れ防止片が異物として混入するといったこともない紛体包装用容器を提供する。【解決手段】紙筒本体１の開口端部１Ａに、両隅に斜め線折込部２が成形されるようにして開口３を成形し、一対の第一・第二側方折線ｂ１，ｂ２に沿って開口端部１Ａをそれぞれ交互に内側へ折り曲げ、台形折込部４ａ，４ｂを覆うようにしてその開口端部１Ａに化粧紙９を糊付けして貼り合わせるようにした粉体包装用紙袋Ａであって、両斜め線折込部２の外面に、紙筒本体１に使用される紙よりも薄くかつ二つ折りされ横幅が第一・第二側方折線ｂ１，ｂ２間の距離よりも長い漏れ防止片５を第一・第二側方折線ｂ１，ｂ２の間隔よりも広い範囲で糊付けして捲れないように貼り合わしてなり、漏れ防止片５は前記各斜め線折込部２の対向する内側縁２ａから内側へ食み出ないようにした。【選択図】  図３
2004210293.tif 000002
【特許請求の範囲】
【請求項１】
紙筒本体の開口端部に、その一側面を両隅角部にそれぞれ斜め線折込部が成形されるようにしてその一側面の端縁と平行な中央折線を基点にして外側へ折り曲げることにより開口を成形し、前記両斜め線折込部の外面と開口端部の内面との所要部位に剥離可能な糊を塗布し、前記中央折線を挟んでその両側に位置しかつ該中央折線と平行な一対の第一・第二側方折線を基点にして前記開口端部をそれぞれ交互に内側へ折り曲げ、その一方の台形折込部の両端部を前記各斜め線折込部の外面に糊付けし、他方の台形折込部を前記一方の台形折込部に糊付けし、更に、前記両台形折込部を覆うようにしてその開口端部の外面に化粧紙を糊付けして貼り合わせるようにした粉体包装用紙袋であって、
前記紙筒本体に使用される紙よりも薄い紙片を二つ折りすることにより、その折線に沿った両端部間が前記第一・第二側方折線間の距離よりも長い漏れ防止片を成形し、前記両斜め線折込部の外面に前記漏れ防止片を前記両端部が前記第一・第二側方折線にそれぞれ掛かりかつ捲れないように貼り合わせてなり、前記各漏れ防止片は前記各斜め線折込部の対向する内側縁から内側へ食み出ないようになっていることを特徴とする粉体包装用紙袋。
【請求項２】
前記両漏れ防止片の折線は前記中央折線に直交し、前記一方の漏れ防止片は、前記中央折線に沿って内側に折り曲げられ、その上面に重なる折り曲げ片の先端縁が前記斜め線折込部の内側縁と合致すると共に前記折線の両端が前記斜め線折込部の外周縁に合致し、また、前記他方の漏れ防止片は、前記中央折線に沿って外側に折り曲げられ、その折線が前記斜め線折込部の内側縁と合致すると共に上面に重なる折り曲げ片の先端縁の両端が前記斜め線折込部の外側縁と合致するようにした請求項１記載の粉体包装用紙袋。
【発明の詳細な説明】
【０００１】
【発明の属する技術分野】
本発明は、セメント、小麦粉、コーンスターチ、カーボンブラック等の粉末または微紛末を封入して包装する粉体包装用紙袋に関するものである。
【０００２】
【従来の技術】
従来、この種の粉体包装用紙袋は、例えば、紙筒の開口端部の片面を、両隅に多角形状の展開面を形成しながら、開口端部の端縁と平行な第１折線に沿って谷折りすることにより矩形状の開口部を形成し、更に、展開面および開口端部の内面の所要部位に剥離可能な糊を塗布した上で、開口端部の両面を端縁と平行な一対の第２折線に沿って順に山折りし、その折り返した一対の台形状の部分の端部を前記展開面に重ねて糊付けすると共に谷形状の部分同士を糊付けし、得られた底端部に化粧紙を貼り合せた構成からなっている。ところが、微粉末を封入した場合、前記台形状の部分や化粧紙を糊付けしたにも拘わらず、いずれかの隙間から粉体が漏れ出ることがあることから、その漏れを防ぐため前記台形状の部分を重ね合わせる前に、その底面部を覆うように内力紙を貼り付け、いわば補強を兼ねた目貼りをするようにしている。しかし、逆に開封する際は、前記化粧紙を剥がした後、更に、ハサミまたはナイフなどの刃物で前記内力紙を破らなければ内容物である紛体が取り出せない。このことから、前記内力紙や糊付けする部位に工夫を凝らし、刃物を使用することなく簡単に紛体を取り出すことができるようにしたものがある。
【０００３】
すなわち、前記粉体包装用紙袋であって、左右の展開面の互いに対向する縁部の第１折線および２本の第２折線を横切る領域のそれぞれに、それらの縁部から内側に向かって延びるように、前記一対の第２折線間の幅よりも幅が大きい閉鎖紙片を、両者の内側の端部同士の間に間隔をあけるようにして糊付けし、更に台形状の部分を閉鎖紙片にも糊付けしており、かつ前記化粧紙が開封手段を備えた構成のものがある(例えば、特許文献１参照。)。
【０００４】
【特許文献１】
特許第３２８８６０９号公報（第２−３頁、図３）
【０００５】
【発明が解決しようとする課題】
しかしながら、前記粉体包装用紙袋では、各閉鎖紙片が各展開面の内側縁からそれぞれ内側に向かって延び食み出している関係上、底面部を開けて内容物である粉体を例えばホッパー等の中に一度に投入する際、その紛体の圧力で前記閉鎖紙片が引き千切れ、この破片が紛体といっしょにホッパー内に異物として混入してしまうという課題がある。
【０００６】
そこで、本発明は上記課題に鑑みてなされたもので、粉体の漏れがほとんどなく粉体包装用紙袋の開封も簡単に行なえ、しかも、取り出される紛体中に破片が異物として混入するといったこともない紛体包装用紙袋を提供することを目的とするものである。
【０００７】
【課題を解決するための手段】
かかる目的を達成するため、本発明に係る紛体包装用紙袋は、紙筒本体の開口端部に、その一側面を両隅角部にそれぞれ斜め線折込部が成形されるようにしてその一側面の端縁と平行な中央折線を基点にして外側へ折り曲げることにより開口を成形し、前記両斜め線折込部の外面と開口端部の内面との所要部位に剥離可能な糊を塗布し、前記中央折線を挟んでその両側に位置しかつ該中央折線と平行な一対の第一・第二側方折線を基点にして前記開口端部をそれぞれ交互に内側へ折り曲げ、その一方の台形折込部の両端部を前記各斜め線折込部の外面に糊付けし、他方の台形折込部を前記一方の台形折込部に糊付けし、更に、前記両台形折込部を覆うようにしてその開口端部の外面に化粧紙を糊付けして貼り合わせるようにした粉体包装用紙袋であって、前記紙筒本体に使用される紙よりも薄い紙片を二つ折りすることにより、その折線に沿った両端部間が前記第一・第二側方折線間の距離よりも長い漏れ防止片を成形し、前記両斜め線折込部の外面に前記漏れ防止片を前記両端部が前記第一・第二側方折線にそれぞれ掛かりかつ捲れないように貼り合わせてなり、前記各漏れ防止片は前記各斜め線折込部の対向する内側縁から内側へ食み出ないようになっている構成からなる。
【０００８】
このように、各漏れ防止片が、紙筒本体に使用される紙よりも薄い紙片を二つ折りし、その折線に沿った両端部間が第一・第二側方折線間の距離よりも長くなるように成形され、両斜め線折込部の外面に前記両端部が第一・第二側方折線にそれぞれ掛かるようにして糊付けされるので、粉体の漏れがほとんどない。しかも、各斜め線折込部の外面に、漏れ防止片を捲れないようにかつ各斜め線折込部の対向する内側縁、すなわち開口の周縁、から内側へ食み出ないようにして糊付けし貼り合わされるので、開封して開口から紛体を取り出す際に、いずれの漏れ防止片も紛体に接触することがない。このため、前記漏れ防止片が粉体に接触して引き千切れ、紛体中に異物として混入することがない。
【０００９】
また、前記両漏れ防止片の折線は中央折線に直交し、一方の漏れ防止片は、中央折線に沿って内側に折り曲げられ、その上面に重なる折り曲げ片の先端縁が前記斜め線折込部の内側縁と合致すると共に折線の両端が斜め線折込部の外周縁に合致し、また、他方の漏れ防止片は、中央折線に沿って外側に折り曲げられ、その折線が斜め線折込部の内側縁と合致すると共に上面に重なる折り曲げ片の先端縁の両端が斜め線折込部の外側縁と合致するようにすることが好ましい。これにより、斜め線折込部内に納まっている範囲で中央折線に沿った漏れ防止片の長さを最も長く設定できることから、中央折線や第一・第二側方折線に沿ってできる紛体の漏れ道を長い範囲で塞ぐことになり、紛体の漏れ防止効果が一層向上する。
【００１０】
【発明の実施の形態】
以下、本発明に係る紛体包装用紙袋の実施の形態を図面に基づき説明する。図１は紛体包装用紙袋の最初の組立て手順を示す一部平面図である。図中Ａは粉体包装用紙袋であり、一定の紙厚（例えば約８４ｇ／ｍ２）のクラフト重袋紙が使用され、二重に重ねると共に両端を開口した円筒状の紙筒本体１から成形される。そして、紙筒本体１は平坦に折りつぶされ方形状に成形される。
【００１１】
まず、前記紙筒本体１の開口端部１Ａであって、その一側面（表面）１ａを、両隅角部にそれぞれ内側を底辺とする二等辺三角形状の斜め線折込部２が成形されるようにして、前記一側面１ａの端縁と平行な中央折線ａを基点として外側へ折り曲げる。これにより、紙筒本体１の開口端部１Ａは両側の対称位置関係にある三角形状の斜め線折込部２，２とその間の方形状の開口３とにより六角形状に成形される。前記中央折線ａの両側には、該中央折線ａと平行をなす裏面側の第一側方折線ｂ１と表面側の第二側方折線ｂ２とが設けられることになり、第一・第二側方折線ｂ１，ｂ２の外側に後記するようにそれぞれ内側へ折り返して糊付けされる台形状の台形折込部４ａ，４ｂが設けられる。
【００１２】
そして、前記両斜め線折込部２，２の外面に、図２に示すように漏れ防止片５が貼り付けられる。漏れ防止片５は一定の紙厚（例えば約５０ｇ／ｍ２）の軽包装紙が使用され、前記クラフト重袋紙である紙筒本体１に使用される紙よりも薄い。通常、漏れ防止片５の紙厚は、４０〜６０ｇ／ｍ２の範囲であれば良い。また、各漏れ防止片５は、方形状をなすと共にその一辺と平行な折線６を基点として内側の折り曲げ片５ａが外側の折り曲げ片５ｂより小さくなるようにして二つ折りされる。このようにして折り曲げられた漏れ防止片５の裏面、すなわち内側の折り曲げ片５ａとこれから食み出る外側の折り曲げ片５ｂとに糊付けする。そして、前記折線６が前記中央折線ａと直交するようにして二枚の漏れ防止片５，５を両斜め線折込部２，２の外面にそれぞれ配置し、これら漏れ防止片５，５を図２、図３に示すように内側・外側の折り曲げ片５ａ，５ｂが捲れないようにして貼り合わせる。
【００１３】
更に詳しく説明すると、前記各漏れ防止片５は、その折線６に沿った両端６ａ部間が前記第一・第二側方折線ｂ１，ｂ２間の距離よりも長く、その両端部が各第一・第二側方折線ｂ１，ｂ２を跨いでその外側まで達する。また、貼り合わせた状態では、いずれの漏れ防止片５も各斜め線折込部２内に納まるようになっている。しかも、一方の漏れ防止片５は、中央折線ａに沿って内側に折り曲げられると共にその上面に重なる外側の折り曲げ片５ｂの先端縁７がこれと対応する斜め線折込部２の内側縁２ａと合致する。更に、折線６の両端６ａが斜め線折込部２の外周縁２ｂに合致する。また、他方の漏れ防止片５は、同じく中央折線ａに沿って外側に折り曲げられると共にその折線６がこれと対応する斜め線折込部２の内側縁２ａと合致する。更に、上面に重なる外側の折り曲げ片６ｂの先端縁７の両端７ａが斜め線折込部２の外側縁２ｂに合致するようになっている。これにより、前記各漏れ防止片５は、前記各斜め線折込部２の内側縁２ａ、すなわち開口端縁、から内側へ食み出ないようになっている。
【００１４】
前記各漏れ防止片５は、紙筒本体１の開口端部１Ａの両側位置で、共に同じ方向へ折り曲げるようにしているが、これは各漏れ防止片５の取り付けが容易であるという成形上の観点から選択されたことであって、可能であれば、各漏れ防止片５を互いに向き合う方向へ折り曲げるようにしても良い。
【００１５】
次に、図４に示すように、各斜め線折込部２の外面両側、開口端部１Ａ内面の一側の各所要部位に、それぞれ剥離可能な糊を塗布して糊付け部８が設けられる。そして、図５矢印に示すように、第一側方折線ｂ１の外側の台形折込部４ａをその第一側方折線ｂ１を基点にして内側へ折り曲げ、開口端部１Ａの内面に貼り合わせる。更に、図６矢印に示すように、第二側方折線ｂ２の外側の台形折込部４ｂをその第二側方折線ｂ２を基点として内側へ折り曲げ、前記台形折込部４ａの外面に貼り合わせる。
【００１６】
前記両台形折込部４ａ，４ｂが貼り合わされた開口端部１Ａの表面には、図７に示すようにして両台形折込部４ａ，４ｂを覆うようにして長方形状の化粧紙９が糊付けにより貼り合わされる。この化粧紙９は、その内面一側の長手方向に沿って開封手段としてのカットテープ１０が設けられる。詳しくは、前記上に重ねられる台形折込部４ｂの上端縁の外側に沿ってカットテープ１０が位置するようになっている。このカットテープ１０は、紛体包装用紙袋Ａが両底貼り袋の場合は、いずれか一方の開口端部１Ａ側に成形される。なお、紙筒本体１の他方の開口端部（図示せず。）も、これとほぼ同様にして折り込まれ貼り合わせて成形される。
【００１７】
本発明に係る粉体包装用紙袋Ａは、上記構成からなり、紙筒本体１の他方の開口端部から紛体包装用紙袋Ａ内にセメント、小麦粉、コーンスターチ、カーボンブラック等の所定の紛体Ｆが充填される。通常、封入された紛体Ｆが漏れ出る漏れ道としては、例えば、中央折線ａや第一・第二側方折線ｂ１，ｂ２に沿った部位が考えられる。中央折線ａ沿いでは、各斜め線折込部２の部位で段差ができ，その部分を両台形折込部４ａ，４ｂによりしっかりと押え付けることができないことから、この部分が紛体Ｆの漏れ道になっている。また、各台形折込部４ａ，４ｂの折り曲げ部はしっかりと折り曲げることが難しく、その間に隙間ができてしまい、これが紛体Ｆの漏れ道になっていると考えられる。
【００１８】
しかしながら、本発明にあっては、前記各漏れ防止片５が、前記紙筒本体１に使用される紙よりも薄くかつ二つ折りされると共に横幅が前記第一・第二側方折線ｂ１，ｂ２間の距離よりも長く成形され、第一・第二側方折線ｂ１，ｂ２を跨いでその外側まで達するようになっている。よって、中央折線ａに沿っては、各斜め線折込部２の段部と各台形折込部４ａ，４ｂとの間の隙間が各漏れ防止片５により埋められて、紛体Ｆの漏れ道が塞がれる。また、第一・第二側方折線ｂ１，ｂ２に沿っては、各台形折込部４ａ，４ｂを折り曲げたとき、各漏れ防止片５も同時に折り曲げられ、この漏れ防止片５が二枚の斜め線折込部２，２間に介在する。よって、これにより紛体Ｆの漏れ道はほとんど塞がれ、紛体Ｆの漏れを十分に防止することが可能となる。
【００１９】
また、粉体包装用紙袋Ａ内に封入された紛体Ｆを取り出す場合は、前記カットテープ１０の端部を持って、勢い良く一側へ引く。そして、各台形折込部４ａ，４ｂを順に引き剥がす。これにより、刃物を使う必要もなくまた多くの手間もいらずに開口３を簡単に開けることができる。
【００２０】
更に、紛体包装用紙袋Ａの開口３から、封入された紛体Ｆを例えばホッパー（図示せず。）内に投入する際、各漏れ防止片５は各斜め線折込部２の外面に捲れないように貼り合わされ、かつ各斜め線折込部２の対向する内側縁２ａから内側へ食み出ないようになっていることから、図８に示すように開口３を下にして紛体Ｆを取り出しても、紛体Ｆが漏れ防止片５に接触するようなことがなく、誤って漏れ防止片５が引き千切れ、その破片が粉体Ｆ内に異物として混入することもない。
【００２１】
【発明の効果】
以上説明したように、本発明に係る紛体包装用紙袋は、紙筒本体に使用される紙よりも薄い漏れ防止片を二つ折りすると共に各斜め線折込部の外面に第一・第二側方折線に共に掛かるようにして配置し、各斜め線折込部を第一・第二側方折線の間隔よりも広い範囲で糊付けして貼り合わせるようにしたので、紛体包装用紙袋に紛体を封入した後も、紛体の漏れはほとんどない。しかも、従来のような内力紙を使用しないことから、刃物を必要とせず開封も簡単に行なえる。また、前記各漏れ防止片は各斜め線折込部の外面に捲れないように貼り合わされ、かつ各斜め線折込部の対向する内側縁から内側へ食み出ないようになっていることから、紛体の取り出し時にも漏れ防止片が粉体内に異物として混入するすることがなく、極めて安全であるという効果がある。
【００２２】
また、前記両漏れ防止片の折線は中央折線に直交し、一方の漏れ防止片は、中央折線に沿って内側に折り曲げられ、その上面に重なる折り曲げ片の先端縁が斜め線折込部の内側縁と合致すると共に折線の両端が斜め線折込部の外周縁に合致し、また、他方の漏れ防止片は、中央折線に沿って外側に折り曲げられ、その折線が斜め線折込部の内側縁と合致すると共に上面に重なる折り曲げ片の先端縁の両端が斜め線折込部の外側縁と合致するようにすれば、斜め線折込部内に納まっている範囲で、漏れ防止片の中央折線に沿った長さを最も長く設定できることから、第一・第二側方折線に沿ってできる紛体の漏れ道を長い範囲で塞ぐことになり、これにより紛体の漏れ防止効果が一層向上するという効果も有る。
【図面の簡単な説明】
【図１】本発明に係る紛体包装用紙袋の最初の組立て手順を示す一部平面図。
【図２】同第二組立て手順を示す一部平面図。
【図３】同第二組立て手順を示す一部斜視図。
【図４】同第三組立て手順を示す一部斜視図。
【図５】同第四組立て手順を示す一部平面図。
【図６】同第五組立て手順を示す一部平面図。
【図７】同第六組立て手順を示す一部平面図。
【図８】同開封した状態を示す一部斜視図。
【符号の説明】
１                    紙筒本体
１Ａ                  開口端部
１ａ                  一側面
２                    斜め線折込部
２ａ                  内側縁
２ｂ                  外周縁
３                    開口
４ａ，４ｂ            台形折込部
５                    漏れ防止片
５ａ                  一方の折り曲げ片
５ｂ                  他方の折り曲げ片
６                    折線
６ａ                  両端
７                    先端縁
７ａ                  両端
８                    糊付け部
９                    化粧紙
１０                  カットテープ
Ａ                    粉体包装用紙袋
ａ                    中央折線
ｂ１                  第一側方折線
ｂ２                  第二側方折線
Ｆ                    紛体
【図１】
2004210293.tif 000003
【図２】
2004210293.tif 000004
【図３】
2004210293.tif 000005
【図４】
2004210293.tif 000006
【図５】
2004210293.tif 000007
【図６】
2004210293.tif 000008
【図７】
2004210293.tif 000009
【図８】
2004210293.tif 000010